(57)【特許請求の範囲】
【請求項１】
電子ビームの焦点を調整するフォーカスコイルと、このフォーカスコイルと電源との間に設けられ複数個のスイッチのオンオフにより前記フォーカスコイルの電流波形を生成するスイッチング回路と、このスイッチング回路の複数のスイッチをオンオフ制御する制御手段と、水平同期信号の周波数が所定値以下である場合、前記フォーカスコイルに直列に補償用コイルを接続させる電圧補正手段とを備える電磁フォーカス回路。
【請求項２】
電圧補正手段は、フォーカスコイルに直列に接続される前記補償用コイルと、この補償用コイルに並列に接続されて、水平同期信号の周波数が所定値より高い場合に電流を迂回させる迂回電流経路とを備えることを特徴とする請求項１記載の電磁フォーカス回路。
【請求項３】
フォーカスコイルと、第１可変電圧電源と、この第１可変電圧電源の陰極側に直列に接続される第２可変電圧電源と、第１可変電圧電源の陽極およびフォーカスコイルの一端の間に接続される第１のスイッチと、第２可変電圧電源の陽極および前記フォーカスコイルの一端の間に接続される第２のスイッチと、前記フォーカスコイルの他端および第２可変電圧電源の陰極の間に接続される第３のスイッチと、前記フォーカスコイルの他端および第２可変電圧電源の陽極の間に接続される第４のスイッチと、これらの第１〜第４のスイッチをオンオフ制御するパルスを出力する第１〜第４パルス発生手段と、水平同期信号に同期して、第１〜第４パルス発生手段がパルスを出力するタイミングを制御するマイクロコンピュータと、アノード端子が第３のスイッチおよび第２可変電圧電源の陰極の間に接続され、カソード端子が前記フォーカスコイルの一端に接続される第１ダイオードと、アノード端子が前記フォーカスコイルの他端に接続され、カソード端子が第１可変電圧電源の陽極に接続される第２ダイオードと、前記フォーカスコイルの前記一端に接続されて、第１および第２のスイッチ並びに第１ダイオードのカソード端子に向かう電流の電圧を上昇させる補償用コイルと、補償用コイルを迂回する電流経路に介在される切り替えスイッチとを備え、マイクロコンピュータは、水平同期信号の周波数が所定値以下であれば切り替えスイッチをオフにし、水平同期信号の周波数が所定値より大きいと切り替えスイッチをオンにすることを特徴とする電磁フォーカス回路。
【請求項４】
電子ビームの焦点を調整するフォーカスコイルと、このフォーカスコイルと電源との間に設けられ複数個のスイッチのオンオフにより前記フォーカスコイルの電流波形を生成するスイッチング回路と、このスイッチング回路のスイッチをオンオフ制御する制御手段と、前記フォーカスコイルから前記電源へ電流が回生する際に電源の出力電圧を下げる電圧補正手段とを備える電磁フォーカス回路。
【請求項５】
電圧補正手段は、電源への回生を利用する際に迂回される付加電源を備えることを特徴とする請求項４記載の電磁フォーカス回路。
【請求項６】
フォーカスコイルと、第１可変電圧電源と、この第１可変電圧電源の陰極側に直列に接続された第２可変電圧電源と、第１可変電圧電源の陽極側に直列に接続された第３可変電圧電源と、第３可変電圧電源の陽極および前記フォーカスコイルの一端の間に接続される第１のスイッチと、第２可変電圧電源の陽極および前記フォーカスコイルの一端の間に接続される第２のスイッチと、前記フォーカスコイルの他端および第２可変電圧電源の陰極の間に接続される第３のスイッチと、前記フォーカスコイルの他端および第２可変電圧電源の陽極の間に接続される第４のスイッチと、これらの第１〜第４のスイッチをオンオフ制御するパルスを出力する第１〜第４パルス発生手段と、水平同期信号に同期して、第１〜第４パルス発生手段がパルスを出力するタイミングを制御するマイクロコンピュータと、アノード端子が第３のスイッチおよび第２可変電圧電源の陰極の間に接続され、カソード端子が前記フォーカスコイルの一端に接続される第１ダイオードと、アノード端子が前記フォーカスコイルの他端に接続され、カソード端子が第１可変電圧電源の陽極に接続される第２ダイオードとを備える電磁フォーカス回路。
【請求項７】
同時にオンすると電源又は可変電圧電源を短絡する複数個のスイッチの間に挿入され短絡電流を阻止するダイオードを備えたことを特徴とする請求項１乃至請求項６のいずれかに記載の電磁フォーカス回路。
【発明の詳細な説明】
【０００１】
【発明の属する技術分野】
本発明は、陰極線管に用いられる電磁フォーカス回路に関し、特に、供給電流の大きさに基づいて、ラスタを形成する電子ビームの焦点を調整するフォーカスコイルに接続され、水平同期信号に同期して複数のスイッチをオンオフ制御することにより、電源から供給される電流に基づいて前記供給電流を作り出す電磁フォーカス回路に関する。
【０００２】
【従来の技術】
図４に従来の電磁フォーカス回路の構成例を示す。電磁フォーカス回路１００は、第１および第２可変電圧電源１０１、１０２と、ラスタを形成する電子ビームの焦点を調整するフォーカスコイル１０３とを互いに接続する。電磁フォーカス回路１００は、４つのスイッチ１０４〜１０７のオンオフ制御を通じて、図６（ａ）に示すように、水平同期信号に同期した電流波形を作り出す。
【０００３】
マイクロコンピュータ１０８は、水平同期信号Ｓ１の同期パルスＳＳを検出すると、その同期パルスＳＳに基づいてスイッチ１０４〜１０７のオンオフの既定のタイミングを設定する。設定されたタイミングに合わせて４つのパルス発生回路１１０〜１１３から対応するスイッチ１０４〜１０７に向けてパルスが出力される。各スイッチ１０４〜１０７は、供給されたパルスに応じてオンオフ制御される。
【０００４】
第２および第３スイッチ１０５、１０６が同時にオンされると、第２可変電圧電源１０２とフォーカスコイル１０３とが接続される。フォーカスコイル１０３には、第２可変電圧電源１０２から時間に比例して直線的に増大する電流が流れる。また、第１および第３スイッチ１０４、１０６が同時にオンされると、第１および第２可変電圧電源１０１、１０２とフォーカスコイル１０３とが接続される。フォーカスコイル１０３には、直列に接続された第１および第２可変電圧電源１０１、１０２から時間に比例して直線的に増大する電流が流れる。このとき、電流が増加する割合は電源電圧に比例する。
【０００５】
第１スイッチ１０４がオフされると同時に、フォーカスコイル１０３には逆起電力が生成され、第１ダイオード１１５がオンされる。第１ダイオード１１５と第３スイッチ１０６とによってフォーカスコイル１０３は短絡され、フォーカスコイル１０３には一定の電流が流れ続ける。続いて第３スイッチ１０６がオフされると、フォーカスコイル１０３に生成される逆起電力によって第２ダイオード１１６がオンされる。フォーカスコイル１０３には、直列に接続された第１および第２可変電圧電源１０１、１０２から逆向きに電流が流れる。その電流は、時間に反比例して減衰する。続いて第４スイッチ１０７がオンされると、第２可変電圧電源１０２とフォーカスコイル１０３が逆向きに接続され、フォーカスコイル１０３に流れる電流は時間に反比例して減衰する。このとき、電流が減衰する割合は電源電圧に比例する。
【０００６】
フォーカスコイル１０３に電流が流れなくなった瞬間、フォーカスコイル１０３の逆起電力もゼロになり、その結果、第１ダイオード１１５がオフされる。第１および第２可変電圧電源１０１、１０２から供給された電力は回生されることから、２つの可変電圧電源１０１、１０２から供給される電力の平均値は非常に小さくなる。
【０００７】
このような電流波形を作り出すことによって、電子ビームが水平方向に走査されている間、電子ビームの焦点は蛍光面に合わせ続けられる。電子ビームがラスタを形成する間、水平同期信号に同期して電流波形の形成は繰り返されることとなる。
【０００８】
【発明が解決しようとする課題】
しかしながら、上記した電磁フォーカス回路は、スイッチの損失により、フォーカスコイル１０３から可変電圧電源１０１，１０２に電流を回生する期間の電流が早く減衰してしまうため、図６（ｄ）に示すように水平同期周波数が低い場合にフォーカスコイル１０３に流れる電流が歪んでしまうという問題があった。
【０００９】
また、図４に示す電磁フォーカス回路では、オンオフ制御のタイミングの誤差や不具合によって第１および第２スイッチが同時にオンされてしまうと、第１可変電圧電源が短絡されてしまう。
【００１０】
本発明は、上記実状に鑑みてなされたもので、水平同期信号の周波数が低下した際にスイッチ損失に起因する電圧降下の影響を低減することができる電磁フォーカス回路を提供することを目的とする。
【００１１】
また、本発明は、電源の短絡の危険性を防止することができる電磁フォーカス回路を提供することを目的とする。
【００１２】
【課題を解決するための手段】
上記目的を達成するために、第１発明によれば、電子ビームの焦点を調整するフォーカスコイルと、このフォーカスコイルと電源との間に設けられ複数個のスイッチのオンオフにより前記フォーカスコイルの電流波形を生成するスイッチング回路と、このスイッチング回路の複数のスイッチをオンオフ制御する制御手段と、水平同期信号の周波数が所定値以下である場合、前記フォーカスコイルに直列に補償用コイルを接続させる電圧補正手段とを備えることを特徴とする。
【００１３】
かかる電磁フォーカス回路によれば、電源への回生時に、水平同期信号の周波数が所定値以下であれば、補償用コイルの働きによってフォーカスコイルに印加される電圧が上昇することから、スイッチ損失による電圧降下の占める割合が小さくなる。その結果、電磁フォーカス回路で形成される電流波形の歪みを小さく抑えることが可能となる。
【００１４】
前記電圧補正手段は、前記フォーカスコイルに直列に接続される前記補償用コイルと、この補償用コイルに並列に接続されて、水平同期信号の周波数が前記所定値より高い場合に電流を迂回させる迂回電流経路とを備えてもよい。この場合、水平同期信号の周波数が所定値以下であれば補償用コイルを電流が流れる。したがって、この補償用コイルの働きによって、フォーカスコイルに印可される電圧が押し上げられる。
【００１５】
ここで、第１発明に係る電磁フォーカス回路は、第１可変電圧電源と、この第１可変電圧電源の陰極側に直列に接続される第２可変電圧電源と、第１可変電圧電源の陽極および前記フォーカスコイルの一端の間に接続される第１の前記スイッチと、第２可変電圧電源の陽極および前記フォーカスコイルの一端の間に接続される第２の前記スイッチと、前記フォーカスコイルの他端および第２可変電圧電源の陰極の間に接続される第３の前記スイッチと、前記フォーカスコイルの他端および第２可変電圧電源の陽極の間に接続される第４の前記スイッチと、これらの第１〜第４の前記スイッチをオンオフ制御するパルスを出力する第１〜第４パルス発生手段と、水平同期信号に同期して、第１〜第４パルス発生手段がパルスを出力するタイミングを制御するマイクロコンピュータと、アノード端子が第３の前記スイッチおよび第２可変電圧電源の陰極の間に接続され、カソード端子が前記フォーカスコイルの一端に接続される第１ダイオードと、アノード端子が前記フォーカスコイルの他端に接続され、カソード端子が第１可変電圧電源の陽極に接続される第２ダイオードと、前記フォーカスコイルの前記一端に接続されて、第１および第２の前記スイッチ並びに第１ダイオードのカソード端子に向かう電流の電圧を上昇させる前記補償用コイルと、前記迂回電流経路に介在される切り替えスイッチとを備えてもよい。マイクロコンピュータは、水平同期信号の周波数が所定値以下であれば切り替えスイッチをオフにし、水平同期信号の周波数が所定値より大きいと切り替えスイッチをオンにする。
【００１６】
また、第２発明によれば、電子ビームの焦点を調整するフォーカスコイルと、このフォーカスコイルと電源との間に設けられ複数個のスイッチのオンオフにより前記フォーカスコイルの電流波形を生成するスイッチング回路と、このスイッチング回路のスイッチをオンオフ制御する制御手段と、前記フォーカスコイルから前記電源へ電流が回生する際に電源の出力電圧を下げる電圧補正手段とを備えることを特徴とする。
【００１７】
かかる電磁フォーカス回路によれば、電圧補正手段によって、回生時にフォーカス回路に加えられる電圧が低めに抑えられる。その結果、供給電流の漸減が緩やかに進行し、電磁フォーカス回路で形成される電流波形の歪みが小さく抑えられることとなる。特に、水平同期信号の周波数が低い場合でも、電流波形の歪みを小さく押え込むことが可能となる。
【００１８】
前記電圧補正手段は、前記電源への回生を利用する際に迂回される付加電源を備えてもよい。
【００１９】
ここで、第２発明に係る電磁フォーカス回路は、前記電源を構成する第１可変電圧電源と、この第１可変電圧電源の陰極側に直列に接続されて前記電源を構成する第２可変電圧電源と、第１可変電圧電源の陽極側に直列に接続されて前記付加電源を構成する第３可変電圧電源と、第３可変電圧電源の陽極および前記フォーカスコイルの一端の間に接続される第１の前記スイッチと、第２可変電圧電源の陽極および前記フォーカスコイルの一端の間に接続される第２の前記スイッチと、前記フォーカスコイルの他端および第２可変電圧電源の陰極の間に接続される第３の前記スイッチと、前記フォーカスコイルの他端および第２可変電圧電源の陽極の間に接続される第４の前記スイッチと、これらの第１〜第４の前記スイッチをオンオフ制御するパルスを出力する第１〜第４パルス発生手段と、水平同期信号に同期して、第１〜第４パルス発生手段がパルスを出力するタイミングを制御するマイクロコンピュータと、アノード端子が第３の前記スイッチおよび第２可変電圧電源の陰極の間に接続され、カソード端子が前記フォーカスコイルの一端に接続される第１ダイオードと、アノード端子が前記フォーカスコイルの他端に接続され、カソード端子が第１可変電圧電源の陽極に接続される第２ダイオードとを備えてもよい。
【００２２】
【発明の実施の形態】
以下、添付図面を参照しつつ本発明の実施の形態を説明する。
【００２３】
（実施の形態１）
図１に本実施の形態に係る電磁フォーカス回路の回路構成を示し、この電磁フォーカス回路が適用された陰極線管の概略構成を図７に示す。図７に示すように陰極線管１０は、アノード１１と協働して電子ビームを発射するカソード１２と、電子ビームの衝突によって発光し、画面を形成する蛍光面１３とを備える。カソード１２から発射された電子ビームの焦点はフォーカスコイル１４の働きによって調整される。焦点が調整された電子ビームは、偏向ヨーク１５の働きによって水平同期信号に同期して水平方向に走査される。その結果、蛍光面１３には電子ビームによってラスタが形成される。フォーカスコイル１４の働きは電磁フォーカス回路１６によって制御され、偏向ヨーク１５の働きは水平偏向回路１７によって制御される。
【００２４】
図１に示すように、電磁フォーカス回路１６は、第１可変電圧電源２０と、この第１可変電圧電源２０の陰極側に直列に接続される第２可変電圧電源２１とを備える。電磁フォーカス回路１６は、これらの第１および第２可変電圧電源２０、２１から供給される電流に基づいて電流波形を形成する。この電流波形に基づいてフォーカスコイル１４は電子ビームの焦点位置を調整することとなる。
【００２５】
電流波形の形成は、４つのスイッチ２２〜２５をオンオフ制御することによって達成される。第１スイッチ２２は、第１可変電圧電源２０の陽極とフォーカスコイル１４の一端１４ａとを接続する。第２スイッチ２３は、第２可変電圧電源２１の陽極とフォーカスコイル１４の一端１４ａとを接続する。第３スイッチ２４は、第２可変電圧電源２１の陰極とフォーカスコイル１４の他端１４ｂとを接続する。第４スイッチ２５は、フォーカスコイル１４の他端１４ｂおよび第２可変電圧電源２１の陽極とを接続する。したがって、第１および第３スイッチ２２、２４が同時にオンされると、フォーカスコイル１４には第１および第２可変電圧電源２０、２１から電流が供給される。第２および第３スイッチ２３、２４が同時にオンされると、フォーカスコイル１４には第２可変電圧電源２１から電流が供給される。
【００２６】
また、電流波形の形成には第１および第２ダイオード２８、２９の働きが寄与する。第１ダイオード２８のアノード端子は、第３スイッチ２４と第２可変電圧電源２１の陰極との間に接続され、そのカソード端子はフォーカスコイル１４の一端１４ａに接続される。第２ダイオード２９のアノード端子はフォーカスコイル１４の他端１４ｂに接続される一方で、そのカソード端子は第１可変電圧電源２０の陽極に接続されている。したがって、第３スイッチ２４がオンで第４スイッチ２５がオフであれば、フォーカスコイル１４は第１ダイオード２８の働きを通じて短絡される。第３スイッチ２４がオフで第４スイッチ２５がオンであれば、第１ダイオード２８の働きを通じてフォーカスコイル１４には第２可変電圧電源２１が逆方向に接続される。第３および第４スイッチ２４、２５がともにオフであれば、第１および第２ダイオード２８、２９を通じてフォーカスコイル１４には第１および第２可変電圧電源２０、２１が逆方向に接続される。
【００２７】
第１〜第４スイッチ２２〜２５のオンオフ制御は、各スイッチ２２〜２５に対応して設けられる第１〜第４パルス発生回路３０〜３３から供給されるパルスによって実行される。パルス供給のタイミング、すなわち、第１〜第４スイッチ２２〜２５のオンオフ制御のタイミングはマイクロコンピュータ３５が決定する。
【００２８】
マイクロコンピュータ３５は、スイッチの個数に応じてオンオフ制御の基準タイミングを決定する基準値を出力する。この基準値は、水平同期信号の１周期の始まりから経過する時間によって規定される。基準タイミングは、水平同期信号に同期して電子ビームの理想の焦点位置を確立させる理想電流波形に基づいて決定される。基準値を受け取った第１〜第４パルス発生回路３０〜３３では、その基準値が規定する基準タイミングに従ってパルスを出力することとなる。
【００２９】
フォーカスコイル１４の一端１４ａと、第１および第２スイッチ２２、２３並びに第１ダイオード２８のカソード端子との間には電圧補正手段３６が接続される。この電圧補正手段３６は、フォーカスコイル１４の一端１４ａ側に直列に接続される補償用コイル３７と、この補償用コイル３７に並列に接続される迂回電流経路３８とを備える。迂回電流経路３８には切り替えスイッチ３９が挿入される。この切り替えスイッチ３９は、水平同期信号の周波数に基づいてマイクロコンピュータ３５からの指令によってオンオフ制御される。マイクロコンピュータ３５は、水平同期信号の周波数が所定値より大きければ切り替えスイッチ３９をオンにし、水平同期信号の周波数が所定値以下であると切り替えスイッチ３９をオフにする。
【００３０】
なお、マイクロコンピュータ３５および第１〜第４パルス発生回路３０〜３３には、これらの動作を同期させる水平同期信号が供給される。
【００３１】
次にこの電磁フォーカス回路の動作を説明する。いま、水平同期信号の周波数は所定値よりも高いと仮定する。マイクロコンピュータ３５の指令に基づき切り替えスイッチ３９はオンされる。したがって、電圧補正手段３６では、電流は補償用コイル３７を迂回して迂回電流経路３８を流れる。
【００３２】
水平同期信号に同期してマイクロコンピュータ３５は第１〜第４パルス発生回路に基準値を送り込む。第２および第３スイッチ２３、２４が同時にオンされた時点で、フォーカスコイル１４には第２可変電圧電源２１が接続される。その結果、第２可変電圧電源２１の出力電圧によって規定される傾きでフォーカスコイル１４に供給される電流は直線的に増加する。第２スイッチ２３に代わって第１スイッチ２２がオンされると、その時点で、フォーカスコイル１４には第１および第２可変電圧電源２０、２１が直列に接続される。フォーカスコイル１４に流れる電流は、第１および第２可変電圧電源２０、２１によって足し合わされた出力電圧によって規定される傾きで直線的に増加していく。
【００３３】
続いて、第１スイッチ２２がオフされると、その瞬間に、フォーカスコイル１４に生成される逆起電力によって第１ダイオード２８がオンされる。第１ダイオード２８および第３スイッチ２４によってフォーカスコイル１４は短絡され、フォーカスコイル１４には一定の電流が流れ続ける。電流が一定に保たれている間、電子ビームはリトレースされ、蛍光面の走査開始位置に戻される。
【００３４】
次の有効映像期間が始まると同時に第３スイッチ２４がオフされる。このとき発生する逆起電力によって第２ダイオード２９がオンされる。その結果、フォーカスコイル１４には、第１および第２ダイオード２８、２９の働きによって第１および第２可変電圧電源２０、２１が逆方向に接続される。第１および第２可変電圧電源２０、２１からの電流が直線的に増加するに従って、フォーカスコイル１４に流れる電流は直線的に減少していく。続いて第４スイッチ２５がオンされると、第４スイッチ２５と第１ダイオード２８とによってフォーカスコイル１４には第２可変電圧電源２１が逆方向に接続される。したがって、第２可変電圧電源２１からの電流が直線的に増加するに従って、フォーカスコイル１４に流れる電流は直線的に減少していく。フォーカスコイル１４に電流が流れなくなると、逆起電力がゼロになって第１ダイオード２８はオフされる。この時点で、第４スイッチ２５はオフされる。
【００３５】
以上の結果、フォーカスコイル１４には図６（ｂ）に示すような電流波形にしたがって電磁フォーカス回路１６から電流が供給され、フォーカスコイル１４の働きによって蛍光面１３上に電子ビームの焦点は合わせ続けられる。
【００３６】
いま、水平同期信号の周波数が所定値以下である場合を考える。図６（ｂ）および（ｄ）を比較すると明らかなように、第１〜第４スイッチ２２〜２５の損失によって電流波形は歪む。この歪みは、前述したように、第１および第２可変電圧電源２０、２１への回生を利用して供給電流を維持または漸減させる際に生じる電圧降下によって引き起こされる。
【００３７】
この実施の形態１では、水平同期信号の周波数が所定値以下であることをマイクロコンピュータ３５が検出すると、電圧補正手段３６の切り替えスイッチ３９がオフにされ、その結果、それまで迂回電流経路３８を流れていた電流が補償用コイル３７を流れるようになる。したがって、周波数が低い場合に第１および第２可変電圧電源２０、２１の出力電圧を押し上げることができ、出力電圧に対してスイッチ損失に起因する電圧降下の割合が小さくなる。第１〜第４スイッチ２２〜２５の損失による電圧降下の影響は低減されることとなる。しかも、この実施の形態１では、水平同期信号の周波数が高い場合に不必要に出力電圧が高くなることを防止することもできる。
【００３８】
なお、切り替えスイッチ３９のオンオフを切り替える周波数の所定値は、予め予想される第１および第２可変電圧電源２０、２１の出力電圧や水平同期信号の周波数を考慮して任意に設定される。
【００３９】
（実施の形態２）
図２は本発明の実施の形態２に係る電磁フォーカス回路の回路構成を示す。
【００４０】
この実施の形態２の電磁フォーカス回路４０は、第１および第２可変電圧電源２０、２１への回生を利用する際に、第１および第２可変電圧電源２０、２１の出力電圧を引き下げる電圧補正手段を備える点が特徴とされる。
【００４１】
なお、前述の実施の形態１と同様な機能を発揮する構成要素には同一の参照符号を付し、その詳細な説明を省略する。
【００４２】
この実施の形態２では、電圧補正手段は、第１可変電圧電源２０と第１スイッチ２２との間に接続される第３可変電圧電源４１を備える。この第３可変電圧電源４１は、第１および第２可変電圧電源２０、２１への回生を利用する際に迂回される付加電源として機能する。かかる第３可変電圧電源４１によれば、第１および第３スイッチ２２、２４がオンされると、第１および第２可変電圧電源２０、２１の出力電圧に加えて、第３可変電圧電源４１の出力電圧がフォーカスコイル１４に印加される。その一方で、回生を利用してフォーカスコイル１４への供給電流を漸減させる際には、第１および第２可変電圧電源２０、２１の組み合わせまたは第２可変電圧電源２１単独の出力電圧が印加されることとなる。供給電流の漸減が緩やかに進行することから、第１〜第４スイッチ２２〜２５の損失による電圧降下が加わっても電流波形を理想電流波形に近似させることが可能となる。特に、水平同期信号の周波数が低い場合でも、電流波形の歪みを小さく抑えることが可能となる。
【００４３】
（実施の形態３）
図３は本発明の実施の形態３に係る電磁フォーカス回路の回路構成を示す。なお、前述の実施の形態１、２と同様な機能を発揮する構成要素には同一の参照符号を付し、その詳細な説明を省略する。
【００４４】
この実施の形態３の電磁フォーカス回路５０は、第１および第２スイッチ２２、２３の間に補償用ダイオード５１が接続されることが特徴とされる。この補償用ダイオード５１の働きによって、第１および第２スイッチ２２，２３が同時にオンされた際に第１可変電圧電源２０が短絡されることが防止される。第１および第２スイッチ２２、２３が同時にオンされても、補償用ダイオード５１には逆バイアスが加えられて補償用ダイオード５１がオンされないからである。
【００４５】
なお、実施の形態３において説明した短絡電流を阻止する補償用ダイオード５１を上記実施の形態１又は実施の形態２に設けるようにしても良い。
【００４６】
【発明の効果】
以上のように第１および第２発明によれば、水平同期信号の周波数が低くなった際にスイッチ損失による電圧降下の影響を低減して理想電流波形に近似した電流波形を形成することが可能な電磁フォーカス回路を提供することができる。
【図面の簡単な説明】
【図１】本発明の実施の形態１に係る電磁フォーカス回路の構成図。
【図２】本発明の実施の形態２に係る電磁フォーカス回路の構成図。
【図３】本発明の実施の形態３に係る電磁フォーカス回路の構成図。
【図４】従来の電磁フォーカス回路の構成図。
【図５】スイッチのオンオフ制御に伴う電流波形を示す波形及びスイッチのオンオフタイミング図。
【図６】電流波形に対するスイッチ損失および水平同期信号の周波数の影響を示す波形図。
【図７】陰極線管の概略構成図。
【符号の説明】
１４  フォーカスコイル
１６、４０、５０  電磁フォーカス回路
２０  第１可変電圧電源
２１  第２可変電圧電源
２２〜２５  第１〜第４スイッチ
２８  第１ダイオード
２９  第２ダイオード
３０〜３３  第１〜第４パルス発生回路
３６  電圧補正手段
３７  補償用コイル
３８  迂回電流経路
３９  切り替えスイッチ
４１  第３可変電圧電源
５１  補償用ダイオード
【図１】
0003545580.tif 000002
【図２】
0003545580.tif 000003
【図３】
0003545580.tif 000004
【図４】
0003545580.tif 000005
【図５】
0003545580.tif 000006
【図６】
0003545580.tif 000007
【図７】
0003545580.tif 000008